(57)【要約】【課題】個別的に対応させることなく、比較的簡易な構成で、当該画像処理装置と外部通信機器との連係動作を可能とする。【解決手段】画像処理装置に外部通信機器を接続すると、外部通信機器は、識別情報を画像処理装置に通信ドライバ１０を介して転送する。中央処理部８は、接続された通信機器と通信可能である場合には、画像処理装置情報を、通信ドライバ１０を介して通信機器に送る。画像処理装置情報は、画像処理装置が搭載している機能の情報を含み、相手側通信機器が、それらの機能を選択および実行司令することを可能とする手段を与える。この画像処理装置情報は、通信機器側で処理可能な情報であり、通信機器側で実行可能なプログラムを含んでいる。その画像処理装置情報のプログラムの実行の結果、画像処理装置側の、撮影および再生機能等を通信機器側で選択指示することができる。【選択図】    図１
2004247886.tif 000002
【特許請求の範囲】
【請求項１】
当該画像処理装置全体を制御する中央制御部、外部操作入力用の操作部、被写体画像を撮影する撮像部、前記撮像部の撮影データを含む各種信号をディジタル処理するためのディジタル処理部、前記ディジタル処理部で処理された画像データを表示するための表示部、当該画像処理装置に内蔵および接離可能な接続の少なくとも一方にて付設され外部通信機器と通信するための通信機能部および前記ディジタル処理部に関連するディジタルデータを格納するデータ格納部を含むカメラ機能を具備する前記画像処理装置であって、
前記外部通信機器からの信号に対して、前記外部通信機器と通信可能か否かを判定するための通信判定手段と、
前記通信判定手段にて通信可能であると判定された場合に、前記外部通信機器との間で通信を行ない、前記外部通信機器側から前記カメラ機能を制御するためのプログラムを含むデータを、前記外部通信機器に送信するデータ通信手段と
を備えることを特徴とする画像処理装置。
【請求項２】
前記データ通信手段は、前記外部通信機器との通信データに、前記カメラ機能を制御するためのカメラ制御インターフェイスプログラムを含み、該カメラ制御インターフェイスプログラムによって構築され、前記外部通信機器から制御データを用いて前記カメラ機能を制御するカメラ制御インターフェイス手段を実質的に含むことを特徴とする請求項１に記載の画像処理装置。
【請求項３】
前記データ通信手段は、前記外部通信機器との通信データに、前記カメラ機能における前記ディジタル処理部とデータを送受信するためのメディアインターフェイスプログラムを含み、該メディアインターフェイスプログラムによって構築され、前記外部通信機器から、前記制御データを用いて、前記ディジタル処理部のディジタル処理データの前記外部通信機器側での受信および前記外部通信機器側からの送信データの前記ディジタル処理部での処理の少なくとも一方を行なうメディアインターフェイス手段を実質的に含むことを特徴とする請求項２に記載の画像処理装置。
【請求項４】
前記外部通信機器として、固定有線回線および携帯無線回線の少なくとも一方の電話回線を介して、音声データおよび画像データの少なくとも一方を送受信する電話機能を有する通信機器を備え、且つ前記カメラ機能には、少なくとも、前記通信判定手段で、通信可能と判定した場合には、前記通信機器からの音声データの音声再生および画像データの再生表示の少なくとも一方を行なう電話処理手段を含むことを特徴とする請求項１〜請求項３のうちのいずれか１項に記載の画像処理装置。
【請求項５】
当該画像処理装置および前記外部通信機器が、前記カメラ制御インターフェイス手段または前記メディアインターフェイス手段とは独立に相互間で通話音声のような連続データを送受信する連続データ通信手段を含み、該連続データ通信手段による前記連続データの通信中にもそれと並行して前記カメラ制御インターフェイス手段または前記メディアインターフェイス手段によるデータを通信することを特徴とする請求項２〜請求項４のうちのいずれか１項に記載の画像処理装置。
【請求項６】
前記データ通信手段は、前記外部通信機器との通信データに、前記カメラ機能における前記データ格納部のデータを送受信するためのメディアインターフェイスプログラムを含み、該メディアインターフェイスプログラムによって構築され、前記外部通信機器から、前記制御データを用いて、前記データ格納部に対するデータの記録および前記データ格納部からのデータの読出しの少なくとも一方を行なうメディアインターフェイス手段を実質的に含むことを特徴とする請求項２に記載の画像処理装置。
【請求項７】
前記メディアインターフェイス手段は、前記外部通信機器内にて、マイクロフォンにより入力され、符号化処理された音声データを、当該画像処理装置に送信して、前記カメラ機能における前記データ格納部に記録するための手段を含むことを特徴とする請求項６に記載の画像処理装置。
【請求項８】
前記メディアインターフェイス手段は、前記カメラ機能における前記データ格納部に記録されている音声データを、前記外部通信機器において受信し、該外部通信機器内にて、復号処理し、スピーカで再生するための手段を含むことを特徴とする請求項６または請求項７に記載の画像処理装置。
【請求項９】
前記メディアインターフェイス手段は、前記外部通信機器内にて、マイクロフォンにより入力され、符号化処理された音声データを、当該画像処理装置に送信して、該音声データを前記カメラ機能の前記データ格納部に記録される画像データにリンクさせて前記データ格納部に記録するための手段を含むことを特徴とする請求項６〜請求項８のうちのいずれか１項に記載の画像処理装置。
【請求項１０】
前記メディアインターフェイス手段は、当該画像処理装置の前記カメラ機能内にて、前記外部通信機器から送信された制御データに基づくリサイズ方式に従って画像データをリサイズして、前記外部通信機器に送信するための手段を含むことを特徴とする請求項６〜請求項９のうちのいずれか１項に記載の画像処理装置。
【請求項１１】
前記メディアインターフェイス手段は、前記外部通信機器側に設けられた文字を含む記号情報を作成するための機能を用いて作成された記号情報を当該画像処理装置に送信し、前記カメラ機能における前記データ格納部の選択された記録済ファイルに前記記号情報を追記するための手段を含むことを特徴とする請求項６〜請求項１０のうちのいずれか１項に記載の画像処理装置。
【請求項１２】
前記メディアインターフェイス手段は、前記外部通信機器側に設けられた文字を含む記号情報を作成するための機能を用いて作成された記号情報を、当該画像処理装置における前記カメラ機能においても利用し得る画像情報として当該画像処理装置に送信するための手段をさらに含むことを特徴とする請求項１１に記載の画像処理装置。
【請求項１３】
前記メディアインターフェイス手段は、前記外部通信機器側から、前記カメラ機能の前記データ格納部に記録されたデータファイルを指定するにあたり、前記外部通信機器における表示部に、前記データファイルの原ファイル名を表示して選択的に指定する方式および前記データファイルの追記された記号情報を表示して選択的に指定する方式を含む複数の選択指定方式から択一的に選択指定方式を選択し得る手段をさらに含むことを特徴とする請求項１１に記載の画像処理装置。
【発明の詳細な説明】
【０００１】
【発明の属する技術分野】
本発明は、携帯電話機のような通信機器とカメラのような画像処理機器を組み合わせたシステムに係り、特に携帯電話によるディジタルスティルカメラの画像送受信の汎用的システムの構築に好適な画像処理装置に関するものである。
【０００２】
【従来の技術】
外出先等から画像を遠隔地に手軽に送信することに対する要望は、従来から存在している。このような要望に対する解決策として、いわゆるディジタルカメラ等の電子スティルカメラ機能と携帯電話機能を搭載して一体的な構成とした機器が利用されている。
【０００３】
【特許文献１】
特開平６−１３３０８１号公報。
【０００４】
すなわち、特許文献１には、電子スティルカメラに携帯電話機能を組み込んだものが示されているが、これとは逆に携帯電話機に電子スティルカメラ機能を組み込んだものもある。
このように、携帯電話機能に電子スティルカメラ機能を組み込んで一体とした機器を携帯性を損なわずに構成する場合、ハードウェアの規模には自ずから制限があるので、カメラ機能を、高画素数の処理に対応させたり、高速処理できるようにしたりすることが困難である。
本来であれば、電子スティルカメラを、高性能で且つ高機能なものとし、そして、携帯電話機等の携帯通信機器を、より携帯性の高いものとするためには、それぞれ別の機器として存在するようにすることが望ましい。
一方、このような問題に対して、携帯通信機器と画像処理機器とを接続する構成も提案されている。
【０００５】
【特許文献２】
特開平１０−１２６５６５号公報
特許文献２には、ディジタルカメラや携帯型のイメージスキャナ等のような携帯型の画像キャプチャ装置を携帯電話機やファクシミリ機等と接続する構成が示されている。
しかしながら、通信機器と画像キャプチャ装置等の画像処理機器とでは、各機器の製造メーカー等がかならずしも一致していない。その上、通信機器および画像処理機器の各製造メーカー相互間においては、搭載機能等の整合が図られておらず、むしろ特殊な場合を除いて接続することが不可能であるという問題を生じている。とはいえ、一般に、携帯電話機等の通信機器においては、メーカーやシステムの如何にかかわらず多くの共通する基本的な機能を含んでおり、メーカーやシステムの相違によって基本的な機能に相違がある場合にも、いくつかの類型に大別され得ることが多い。
【０００６】
【発明が解決しようとする課題】
本発明は、上述した事情に鑑みてなされたもので、個別的に対応させることなく、比較的簡易な構成で、当該画像処理装置と外部通信機器との連係動作を可能とする画像処理装置を提供することを目的としている。
本発明の請求項１の目的は、特に、外部通信機器の携帯性を犠牲にすることなく、種々の外部通信機器に対して簡素な通信にて互換性を保って連係することを可能とする画像処理装置を提供することにある。
本発明の請求項２の目的は、特に、外部通信機器を介して、遠隔地からカメラ機能を制御して利用することが可能な画像処理装置を提供することにある。
本発明の請求項３の目的は、特に、外部通信機器側で、該通信機器が備えていない画像処理機能などを利用することを可能とする画像処理装置を提供することにある。
本発明の請求項４の目的は、特に、外部通信機器側で当該画像処理装置の表示再生機能等を利用し、安価で且つ簡易な外部通信機器でも、広範囲の用途に使用することを可能とする画像処理装置を提供することにある。
本発明の請求項５の目的は、特に、外部通信機器側の通話等の連続処理を中断することなく、当該画像処理装置との連係を可能とする画像処理装置を提供することにある。
【０００７】
本発明の請求項６の目的は、特に、カメラ機能により撮影され、記録されたデータを、外部通信機器を介して遠隔地で利用することを可能とする画像処理装置を提供することにある。
本発明の請求項７の目的は、特に、当該画像処理装置に対する音声入力に外部通信機器の音声入力機能を利用することを可能とする画像処理装置を提供することにある。
本発明の請求項８の目的は、特に、当該画像処理装置からの音声出力に外部通信機器の音声出力機能を利用することを可能とする画像処理装置を提供することにある。
本発明の請求項９の目的は、特に、当該画像処理装置に記録される画像ファイルに外部通信機器の音声入力機能を利用して音声入力される音声情報をコメントとして関連付け記録することを可能とする画像処理装置を提供することにある。
本発明の請求項１０の目的は、特に、外部通信機器との間の送受信データを、前記外部通信機器側からの設定により、必要最低限とすることを可能とする画像処理装置を提供することにある。
【０００８】
本発明の請求項１１の目的は、特に、当該画像処理装置における記録ファイルに、外部通信機器の記号入力機能を利用して入力される文字等の記号情報を、追記することを可能とする画像処理装置を提供することにある。
本発明の請求項１２の目的は、特に、外部通信機器の記号入力機能を利用して入力される文字等の記号情報を当該画像処理装置で画像の一部などとして容易に把握し得るように用いることを可能とする画像処理装置を提供することにある。
本発明の請求項１３の目的は、特に、当該画像処理装置に格納されるファイルを指定するのに、記録順に基づく一定の規則に従ったファイル名と、文字等の記号情報による分かりやすい仮ファイル名とを選択的に用いることで、使用者がファイルの内容を容易に把握して適切に指定することを可能とする画像処理装置を提供することにある。
【０００９】
【課題を解決するための手段】
請求項１に記載した本発明に係る画像処理装置は、上述した目的を達成するために、
当該画像処理装置全体を制御する中央制御部、外部操作入力用の操作部、被写体画像を撮影する撮像部、前記撮像部の撮影データを含む各種信号をディジタル処理するためのディジタル処理部、前記ディジタル処理部で処理された画像データを表示するための表示部、当該画像処理装置に内蔵および接離可能な接続の少なくとも一方にて付設され外部通信機器と通信するための通信機能部および前記ディジタル処理部に関連するディジタルデータを格納するデータ格納部を含むカメラ機能を具備する画像処理装置であって、
前記外部通信機器からの信号に対して、前記外部通信機器と通信可能か否かを判定するための通信判定手段と、
前記通信判定手段にて通信可能であると判定された場合に、前記外部通信機器との間で通信を行ない、前記外部通信機器側から前記カメラ機能を制御するためのプログラムを含むデータを、前記外部通信機器に送信するデータ通信手段と
を備えることを特徴としている。
【００１０】
請求項２に記載した本発明に係る画像処理装置は、請求項１の画像処理装置であって、前記データ通信手段が、前記外部通信機器との通信データに、前記カメラ機能を制御するためのカメラ制御インターフェイスプログラムを含み、該カメラ制御インターフェイスプログラムによって構築され、前記外部通信機器から制御データを用いて前記カメラ機能を制御するカメラ制御インターフェイス手段を実質的に含むことを特徴としている。
請求項３に記載した本発明に係る画像処理装置は、請求項２の画像処理装置であって、前記データ通信手段が、前記外部通信機器との通信データに、前記カメラ機能における前記ディジタル処理部とデータを送受信するためのメディアインターフェイスプログラムを含み、該メディアインターフェイスプログラムによって構築され、前記外部通信機器から、前記制御データを用いて、前記ディジタル処理部のディジタル処理データの前記外部通信機器側での受信および前記外部通信機器側からの送信データの前記ディジタル処理部での処理の少なくとも一方を行なうメディアインターフェイス手段を実質的に含むことを特徴としている。
【００１１】
請求項４に記載した本発明に係る画像処理装置は、請求項１〜請求項３のうちのいずれか１項の画像処理装置であって、前記外部通信機器として、固定有線回線および携帯無線回線の少なくとも一方の電話回線を介して、音声データおよび画像データの少なくとも一方を送受信する電話機能を有する通信機器を備え、且つ前記カメラ機能には、少なくとも、前記通信判定手段で、通信可能と判定した場合には、前記通信機器からの音声データの音声再生および画像データの再生表示の少なくとも一方を行なう電話処理手段を含むことを特徴としている。
請求項５に記載した本発明に係る画像処理装置は、請求項２〜請求項４のうちのいずれか１項の画像処理装置であって、当該画像処理装置および前記外部通信機器が、前記カメラ制御インターフェイス手段または前記メディアインターフェイス手段とは独立に相互間で通話音声のような連続データを送受信する連続データ通信手段を含み、該連続データ通信手段による前記連続データの通信中にもそれと並行して前記カメラ制御インターフェイス手段または前記メディアインターフェイス手段によるデータを通信することを特徴としている。
【００１２】
請求項６に記載した本発明に係る画像処理装置は、請求項２の画像処理装置であって、前記データ通信手段が、前記外部通信機器との通信データに、前記カメラ機能における前記データ格納部のデータを送受信するためのメディアインターフェイスプログラムを含み、該メディアインターフェイスプログラムによって構築され、前記外部通信機器から、前記制御データを用いて、前記データ格納部に対するデータの記録および前記データ格納部からのデータの読出しの少なくとも一方を行なうメディアインターフェイス手段を実質的に含むことを特徴としている。
請求項７に記載した本発明に係る画像処理装置は、請求項６の画像処理装置であって、前記メディアインターフェイス手段が、前記外部通信機器内にて、マイクロフォンにより入力され、符号化処理された音声データを、当該画像処理装置に送信して、前記カメラ機能における前記データ格納部に記録するための手段を含むことを特徴としている。
【００１３】
請求項８に記載した本発明に係る画像処理装置は、請求項６または請求項７の画像処理装置であって、前記メディアインターフェイス手段が、前記カメラ機能における前記データ格納部に記録されている音声データを、前記外部通信機器において受信し、該外部通信機器内にて、復号処理し、スピーカで再生するための手段を含むことを特徴としている。
請求項９に記載した本発明に係る画像処理装置は、請求項６〜請求項８のうちのいずれか１項の画像処理装置であって、前記メディアインターフェイス手段が、前記外部通信機器内にて、マイクロフォンにより入力され、符号化処理された音声データを、当該画像処理装置に送信して、該音声データを前記カメラ機能の前記データ格納部に記録される画像データにリンクさせて前記データ格納部に記録するための手段を含むことを特徴としている。
請求項１０に記載した本発明に係る画像処理装置は、請求項６〜請求項９のうちのいずれか１項の画像処理装置であって、前記メディアインターフェイス手段が、当該画像処理装置の前記カメラ機能内にて、前記外部通信機器から送信された制御データに基づくリサイズ方式に従って画像データをリサイズして、前記外部通信機器に送信するための手段を含むことを特徴としている。
【００１４】
請求項１１に記載した本発明に係る画像処理装置は、請求項６〜請求項１０のうちのいずれか１項の画像処理装置であって、前記メディアインターフェイス手段が、前記外部通信機器側に設けられた文字を含む記号情報を作成するための機能を用いて作成された記号情報を当該画像処理装置に送信し、前記カメラ機能における前記データ格納部の選択された記録済ファイルに前記記号情報を追記するための手段を含むことを特徴としている。
請求項１２に記載した本発明に係る画像処理装置は、請求項１１の画像処理装置であって、前記メディアインターフェイス手段が、前記外部通信機器側に設けられた文字を含む記号情報を作成するための機能を用いて作成された記号情報を、当該画像処理装置における前記カメラ機能においても利用し得る画像情報として当該画像処理装置に送信するための手段をさらに含むことを特徴としている。
【００１５】
請求項１３に記載した本発明に係る画像処理装置は、請求項１１の画像処理装置であって、前記メディアインターフェイス手段が、前記外部通信機器側から、前記カメラ機能の前記データ格納部に記録されたデータファイルを指定するにあたり、前記外部通信機器における表示部に、前記データファイルの原ファイル名を表示して選択的に指定する方式および前記データファイルの追記された記号情報を表示して選択的に指定する方式を含む複数の選択指定方式から択一的に選択指定方式を選択し得る手段をさらに含むことを特徴としている。
【００１６】
【作用】
すなわち、本発明の請求項１による画像処理装置は、当該画像処理装置全体を制御する中央制御部、外部操作入力用の操作部、被写体画像を撮影する撮像部、前記撮像部の撮影データを含む各種信号をディジタル処理するためのディジタル処理部、前記ディジタル処理部で処理された画像データを表示するための表示部、当該画像処理装置に内蔵および接離可能な接続の少なくとも一方にて付設され外部通信機器と通信するための通信機能部および前記ディジタル処理部に関連するディジタルデータを格納するデータ格納部を含むカメラ機能を具備する画像処理装置であって、前記外部通信機器からの信号に対して、前記外部通信機器と通信可能か否かを判定するための通信判定手段と、前記通信判定手段にて通信可能であると判定された場合に、前記外部通信機器との間で通信を行ない、前記外部通信機器側から前記カメラ機能を制御するためのプログラムを含むデータを、前記外部通信機器に送信するデータ通信手段とを備えている。
このような構成により、特に、外部通信機器の携帯性を犠牲にすることなく、種々の外部通信機器に対して簡素な通信にて互換性を保って連係することが可能となる。
【００１７】
また、本発明の請求項２による画像処理装置は、請求項１の画像処理装置であって、前記データ通信手段が、前記外部通信機器との通信データに、前記カメラ機能を制御するためのカメラ制御インターフェイスプログラムを含み、該カメラ制御インターフェイスプログラムによって構築され、前記外部通信機器から制御データを用いて前記カメラ機能を制御するカメラ制御インターフェイス手段を実質的に含んでいる。
このような構成により、特に、外部通信機器を介して、遠隔地からカメラ機能を制御して利用することが可能となる。
本発明の請求項３による画像処理装置は、請求項２の画像処理装置であって、前記データ通信手段が、前記外部通信機器との通信データに、前記カメラ機能における前記ディジタル処理部とデータを送受信するためのメディアインターフェイスプログラムを含み、該メディアインターフェイスプログラムによって構築され、前記外部通信機器から、前記制御データを用いて、前記ディジタル処理部のディジタル処理データの前記外部通信機器側での受信および前記外部通信機器側からの送信データの前記ディジタル処理部での処理の少なくとも一方を行なうメディアインターフェイス手段を実質的に含んでいる。
このような構成により、特に、外部通信機器側で、該通信機器が備えていない画像処理機能などを利用することが可能となる。
【００１８】
本発明の請求項４による画像処理装置は、請求項１〜請求項３のうちのいずれか１項の画像処理装置であって、前記外部通信機器として、固定有線回線および携帯無線回線の少なくとも一方の電話回線を介して、音声データおよび画像データの少なくとも一方を送受信する電話機能を有する通信機器を備え、且つ前記カメラ機能には、少なくとも、前記通信判定手段で、通信可能と判定した場合には、前記通信機器からの音声データの音声再生および画像データの再生表示の少なくとも一方を行なう電話処理手段を含んでいる。
このような構成により、特に、外部通信機器側で当該画像処理装置の表示再生機能等を利用し、安価で且つ簡易な外部通信機器でも、広範囲の用途に使用することが可能となる。
【００１９】
本発明の請求項５による画像処理装置は、請求項２〜請求項４のうちのいずれか１項の画像処理装置であって、当該画像処理装置および前記外部通信機器が、前記カメラ制御インターフェイス手段または前記メディアインターフェイス手段とは独立に相互間で通話音声のような連続データを送受信する連続データ通信手段を含み、該連続データ通信手段による前記連続データの通信中にもそれと並行して前記カメラ制御インターフェイス手段または前記メディアインターフェイス手段によるデータを通信する。
このような構成により、特に、外部通信機器側の通話等の連続処理を中断することなく、当該画像処理装置との連係が可能となる。
本発明の請求項６による画像処理装置は、請求項２の画像処理装置であって、前記データ通信手段が、前記外部通信機器との通信データに、前記カメラ機能における前記データ格納部のデータを送受信するためのメディアインターフェイスプログラムを含み、該メディアインターフェイスプログラムによって構築され、前記外部通信機器から、前記制御データを用いて、前記データ格納部に対するデータの記録および前記データ格納部からのデータの読出しの少なくとも一方を行なうメディアインターフェイス手段を実質的に含んでいる。
このような構成により、特に、カメラ機能による撮影され、記録されたデータを、外部通信機器を介して遠隔地で利用することが可能となる。
【００２０】
本発明の請求項７による画像処理装置は、請求項６の画像処理装置であって、前記メディアインターフェイス手段が、前記外部通信機器内にて、マイクロフォンにより入力され、符号化処理された音声データを、当該画像処理装置に送信して、前記カメラ機能における前記データ格納部に記録するための手段を含んでいる。
このような構成により、特に、当該画像処理装置に対する音声入力に外部通信機器の音声入力機能を利用することが可能となる。
本発明の請求項８による画像処理装置は、請求項６または請求項７の画像処理装置であって、前記メディアインターフェイス手段が、前記カメラ機能における前記データ格納部に記録されている音声データを、前記外部通信機器において受信し、該外部通信機器内にて、復号処理し、スピーカで再生するための手段を含んでいる。
このような構成により、特に、当該画像処理装置からの音声出力に外部通信機器の音声出力機能を利用することが可能となる。
【００２１】
本発明の請求項９による画像処理装置は、請求項６〜請求項８のうちのいずれか１項の画像処理装置であって、前記メディアインターフェイス手段が、前記外部通信機器内にて、マイクロフォンにより入力され、符号化処理された音声データを、当該画像処理装置に送信して、該音声データを前記カメラ機能の前記データ格納部に記録される画像データにリンクさせて前記データ格納部に記録するための手段を含んでいる。
このような構成により、特に、当該画像処理装置に記録される画像ファイルに外部通信機器の音声入力機能を利用して音声入力される音声情報をコメントとして関連付け記録することが可能となる。
本発明の請求項１０による画像処理装置は、請求項６〜請求項９のうちのいずれか１項の画像処理装置であって、前記メディアインターフェイス手段が、当該画像処理装置の前記カメラ機能内にて、前記外部通信機器から送信された制御データに基づくリサイズ方式に従って画像データをリサイズして、前記外部通信機器に送信するための手段を含んでいる。
このような構成により、特に、外部通信機器との間の送受信データを、前記外部通信機器側からの設定により、必要最低限とすることが可能となる。
【００２２】
本発明の請求項１１による画像処理装置は、請求項６〜請求項１０のうちのいずれか１項の画像処理装置であって、前記メディアインターフェイス手段が、前記外部通信機器側に設けられた文字を含む記号情報を作成するための機能を用いて作成された記号情報を当該画像処理装置に送信し、前記カメラ機能における前記データ格納部の選択された記録済ファイルに前記記号情報を追記するための手段を含んでいる。
このような構成により、特に、当該画像処理装置における記録ファイルに、外部通信機器の記号入力機能を利用して入力される文字等の記号情報を、追記することが可能となる。
本発明の請求項１２による画像処理装置は、請求項１１の画像処理装置であって、前記メディアインターフェイス手段が、前記外部通信機器側に設けられた文字を含む記号情報を作成するための機能を用いて作成された記号情報を、当該画像処理装置における前記カメラ機能においても利用し得る画像情報として当該画像処理装置に送信するための手段をさらに含んでいる。
このような構成により、特に、外部通信機器の記号入力機能を利用して入力される文字等の記号情報を当該画像処理装置で画像の一部などとして容易に把握し得るように用いることが可能となる。
【００２３】
本発明の請求項１３による画像処理装置は、請求項１１の画像処理装置であって、前記メディアインターフェイス手段が、前記外部通信機器側から、前記カメラ機能の前記データ格納部に記録されたデータファイルを指定するにあたり、前記外部通信機器における表示部に、前記データファイルの原ファイル名を表示して選択的に指定する方式および前記データファイルの追記された記号情報を表示して選択的に指定する方式を含む複数の選択指定方式から択一的に選択指定方式を選択し得る手段をさらに含んでいる。
このような構成により、特に、当該画像処理装置に格納されるファイルを指定するのに、記録順に基づく一定の規則に従ったファイル名と、文字等の記号情報による分かりやすい仮ファイル名とを選択的に用いることで、使用者がファイルの内容を容易に把握して適切に指定することが可能となる。
【００２４】
【発明の実施の形態】
以下、本発明の実施の形態に基づき、図面を参照して本発明に係る画像処理装置を詳細に説明する。
図１〜図４は、本発明の第１の実施の形態に係る画像処理装置を説明するための図である。図１は、画像処理装置であるディジタルカメラの構成を模式的に示すブロック図であり、図２は、図１のディジタルカメラに接続される外部通信機器である携帯電話機の構成を模式的に示すブロック図である。図３は、図１のディジタルスティルカメラと図２の携帯電話機を接続して連係させる場合の通信処理の信号授受の流れを示す通信処理図であり、図４は、図３の処理の過程において携帯電話機の画面上に表示される操作メニューの一例を模式的に示す図である。
【００２５】
図１に示すディジタルカメラは、撮影レンズ１、メカニカルシャッタ２、ＣＣＤ（電荷結合素子）撮像素子３、相関二重サンプリング−Ａ／Ｄ（アナログ−ディジタル）変換部（以下、「ＣＤＳ−ＡＤ部」と称する）４、ディジタルシグナルプロセッサ部（以下「ＤＳＰ部」と称する）５、メカニカルドライバ部６、ＣＣＤ駆動回路部７、中央処理部（ＣＰＵ）８、一時メモリ９、通信ドライバ部１０、メモリカード１１、表示部１２および操作部１３を具備している。
撮影レンズ１は、被写体像をＣＣＤ撮像素子３の入力面に結像する。メカニカルシャッタ２は、ＣＣＤ撮像素子３に対する入射光束を開閉して、被写体像の入射タイミングおよびその期間を制御する。ＣＣＤ撮像素子３は、入射される被写体光学像を電気信号に変換する。ＣＤＳ−ＡＤ部４は、ＣＣＤ撮像素子３の撮像信号を相関二重サンプリングし且つＡ／Ｄ変換して、ＤＳＰ部５に供給する。ＤＳＰ部５は、ＣＤＳ−ＡＤ部４でＡ／Ｄ変換されて得られたディジタル信号にディジタル信号処理を施して、輝度信号であるＹ信号並びに色差信号であるＵおよびＶ信号に変換したり、これらＹ，ＵおよびＶ信号データをＪＰＥＧ圧縮したりする。メカニカルドライバ部６は、撮影レンズ１をフォーカシングのための光軸方向に沿う移動およびメカニカルシャッタ２の開閉の各動作を含む機械的な作動部を駆動する。ＣＣＤ駆動回路部７は、ＣＣＤ撮像素子３を制御駆動する。
【００２６】
中央処理部８は、ディジタルスティルカメラの各部を制御して、全体をディジタルスティルカメラとして適正に作動させる。一時メモリ９は、ＤＳＰ部５から得られる撮像された画像データおよびメモリカード１１のファイルからのリードデータ等のデータを一時保持するメモリであり、ＤＳＰ部５および中央処理部８のワークメモリとして使用される。通信ドライバ部１０は、このディジタルスティルカメラが外部と通信をするためのドライバである。メモリカード１１は、このディジタルスティルカメラに通常の場合、着脱可能に設けられた、いわゆるフラッシュメモリ等の不揮発性メモリを搭載し、撮像された画像データ等を格納する。表示部１２は、ＤＳＰ部５から与えられる映像出力信号を表示し、この表示部１２は、映像出力信号を、例えば液晶表示可能な信号に変換するための表示コントローラおよびその映像を実際に表示するための例えば液晶表示器（ＬＣＤ）からなる表示器を含んでいる。操作部１３は、中央処理部８に情報を入力するための各種スイッチを含み、このディジタルスティルカメラの使用者による入力操作に用いられる。
【００２７】
通信ドライバ部１０は、外部の第１の通信機器（通信機器Ｉ）１４と接続される。第１の通信機器１４は、電話回線等を介して第２の通信機器（通信機器ＩＩ）１５と通信する。本発明に係る画像処理装置としては、接続ワイヤを介して直接的に接続された第１の通信機器１４により制御される場合もあるが、第２の通信機器１５から携帯電話回線等の無線回線等により第１の通信機器１４を介して制御されてもよい。
なお、本発明に係る画像処理装置としては、図１に示す構成のうちＤＳＰ部５、ＣＣＤ駆動回路部７、一時メモリ９および通信ドライバ部１０が最低限必要である。画像処理装置としてディジタルスティルカメラを用いる場合には、図１に示すような構成となる。
【００２８】
次に、図２は、図１における第１の通信機器１４として用いられる通信機器の一例としての携帯電話機の構成を示している。図２に示す携帯電話機は、中央処理部（ＣＰＵ）２１、フラッシュＲＯＭ（リードオンリメモリ）２２、操作部２３、ワークメモリ２４、ＲＦ（無線周波数）モジュール２５、アンテナ２６、通信ドライバ部２７、表示ドライバ２８、液晶表示部（ＬＣＤ）２９、アナログ入力部３０、Ａ／Ｄ（アナログ−ディジタル）変換部３１、Ｄ／Ａ（ディジタル−アナログ）変換部３２、アナログ出力部３３およびＣＯＤＥＣ部３４を具備している。
中央処理部２１は、当該通信機器全体を制御する。フラッシュＲＯＭ２２は、この場合、中央処理部２１の動作プログラムを格納している。操作部２３は、中央処理部２１に情報を入力するための各種スイッチを含み、この携帯電話機の使用者による入力操作に用いられる。ワークメモリ２４は、この携帯電話機の制御処理に用いられ、このワークメモリ２４には、通信ドライバ部２７を介して外部から受信される中央処理部２１で処理可能なプログラムおよびデータの少なくとも一方も格納される。
【００２９】
ＲＦモジュール２５およびアンテナ２６は、他の通信機器との無線通信による送受信を行なうための部分であり、携帯電話機の場合には携帯電話回線を介しての送受信となる。通信ドライバ部２７は、図１に示した画像処理装置としてのディジタルスティルカメラの通信ドライバ部１０と接続され、相互間での通信を行なう。表示ドライバ２８および液晶表示部２９は、その携帯電話機の動作に関する状態情報やワークメモリ２４に格納されている画像を表示し得る。アナログ入力部３０およびＡ／Ｄ変換部３１は、当該携帯電話機に対する音声入力を行なうための部分であり、アナログ入力部３０には、音声入力用のマイク（マイクロフォン）が含まれ、Ａ／Ｄ変換部３１でアナログ入力をディジタル情報に変換してＣＯＤＥＣ部３４に与える。Ｄ／Ａ変換部３２およびアナログ出力部３３は、当該携帯電話機から音声出力を行なうための部分であり、Ｄ／Ａ変換部３２において、ＣＯＤＥＣ部３４から与えられるディジタル情報をアナログ信号に変換し、そのアナログ信号を、スピーカを含むアナログ出力部３３で音声として音響出力する。携帯電話機では、アナログ入力部３０に含まれるマイクは送話口近傍に設けられ、アナログ出力部３３に含まれるスピーカは、受話口近傍に設けられる。ＣＯＤＥＣ部３４は、ディジタル音声データを符号化し、且つ符号化されたデータをディジタル音声データに復号する。
【００３０】
なお、通信機器としては、最低限、中央処理部２１、フラッシュＲＯＭ２２、操作部２３、ワークメモリ２４、ＲＦモジュール２５、アンテナ２６、通信ドライバ部２７、表示ドライバ２８および液晶表示部２９が必要であり、通信機器として用いられる携帯電話機の場合には、それらに加えてアナログ入力部３０、Ａ／Ｄ変換部３１、Ｄ／Ａ変換部３２、アナログ出力部３３およびＣＯＤＥＣ部３４が含まれる。この通信機器は、図１における第１の通信機器１４のみならず第２の通信機器１５としても使用可能である。
次に、本発明の第１の実施の形態に係り、図１および図２に示した画像処理装置としてのディジタルスティルカメラとその外部通信機器としての携帯電話機とを接続した場合の処理動作を図３を参照して説明する（請求項１に対応する）。
画像処理装置に外部通信機器を接続すると、図３に示すように、ハードウェア接続信号により、画像処理装置および外部通信機器は、互いの接続を検知する。外部通信機器は、通信手順および当該通信機器を特定することができる識別データ、すなわち通信機器ＩＤデータを画像処理装置に転送する。
【００３１】
通信機器ＩＤデータは、例えば製造メーカーと品名または品番であってもよく、また、画像処理装置側で認識できる通信機器の標準的機器仕様がある場合には、その適合バージョンを示すデータであってもよい。この通信機器ＩＤデータの受信内容に基づいて、画像処理装置は、接続された通信機器と通信可能か否かを判定する。これが通信判定手段である。通信可能である場合には、画像処理装置側は、画像処理装置のデータを、通信機器に送る。これが基本的なデータ通信手段である。以後、この送信データを、「画像処理装置情報」と称することにする。
画像処理装置情報は、画像処理装置が搭載している機能の情報を含み、さらに、相手側通信機器が、それらの機能を選択および実行司令することを可能とする手段を与えるものである。
この画像処理装置情報は、通信機器側で処理可能な情報であり、通信機器側の中央処理部２１で、解読して実行可能な、または直接実行可能なプログラムを含んでいる。例えば、プログラムは、画像処理装置および通信機器の異なる中央処理部８および２１でも解読できる中間コードであってもよい。この場合、通信機器は、中間コードを、当該通信機器自体の中央処理部２１で実行可能なプログラムに変換して、これを実行する。
【００３２】
画像処理装置は、通信機器ＩＤデータによって相手先通信機器を特定し、その通信機器側で処理可能なように画像処理装置情報を自動変更して、それを通信機器に転送するようにしてもよい。例えば、通信機器側に表示するための表示データの場合には、通信機器側の表示形態に合わせて、表示データのサイズ等を変更する。
望ましくは、通信機器側に上述した標準的機器仕様があり、それに準拠した中間コードプログラムを、画像処理装置側が、画像処理装置情報として持っていれば、どのような通信機器に対しても使用できるというシステムを構築できるようにする。
そして、その画像処理装置情報のプログラムの実行の結果、通信機器側の液晶表示部２９に図４に示すようなメニュー表示するものとする。メニュー表示された機能は、通信機器自体の操作部２３の操作によって選択可能である。このようにすることにより、画像処理装置側の、撮影および再生機能等を通信機器側で選択指示することが可能となる。
【００３３】
また、画像処理装置側の電源を、低消費電力であるスタンバイ状態に設定したり、逆にメニューの機能を選択するだけで、画像処理装置側のスタンバイを解除したりすることも可能である。
上述したようにすれば、画像処理を扱える通信機器のシステムにおける通信機能部と高性能および高機能が要求され、規模の大きなハードウェア部を持つ画像処理部を分離することで、通信機能部である通信機器自体を小型化することができ、その携帯性を保つことができる。また、画像処理装置と外部の通信機器との間で相互に機器情報を授受することによって、画像処理装置は、種々の通信機器に対しても互換性を保つことができる。また、通信機器と画像処理装置との間で、制御コマンドおよび制御パラメータの授受を行なって、画像処理装置の制御を実行するのに比べ、画像処理装置情報を、通信機器の中央処理部で実行することができるプログラムとすることによって、通信機器内で画像処理制御内容を決定して、画像処理装置へは決定済みの制御結果を送ることができ、通信機器と画像処理装置間の通信を簡素化することができる。
【００３４】
次に、図５および図６を参照して、通信機器側から画像処理装置のカメラ機能を制御して、撮影および再生を行なう本発明の第２の実施の形態について説明する（請求項２に対応する）。
図５は、撮影動作を説明するための処理の流れの模式図である。
使用者は、通信機器の液晶表示部２９のメニュー表示（図４参照）で撮影機能とそのパラメータである撮影画像サイズを選択する。選択された情報は、撮影指示とともに画像処理装置に転送される。画像処理装置は、この場合は、ディジタルスティルカメラであり、ＡＦ（自動焦点調節）、ＡＥ（自動露出調節）およびＡＷＢ（自動ホワイトバランス調整）の各調整を行なう。その後、撮影を行なって、画像データをメモリカード１１に記録して、通信機器に  終了通知を転送する。このようにして、携帯機器つまり携帯電話機側からディジタルスティルカメラを制御して撮影することができる。
【００３５】
図６は、撮影されメモリカード１１に格納された画像データ等の再生動作を説明するための処理の流れの模式図である。
使用者は、通信機器の液晶表示部２９のメニュー表示（図４参照）で再生機能を選択すると、ファイル名要求信号が画像処理装置側に送られる。画像処理装置は、メモリカード１１のファイル名情報を作成し、通信機器へ転送する。通信機器側では、液晶表示部２９の表示画面上にファイル名の一覧を表示することができ、使用者は、その一覧から所望のファイルを選択する。選択されたファイル名は、選択操作に応答して画像処理装置に転送され、画像処理装置は、該当ファイルをメモリカード１１から読み出して、圧縮データであれば伸張し、さらに通信機器ＩＤデータに応じて、通信機器の液晶表示部２９に表示可能な画像サイズに合わせてリサイズする（請求項１０に対応する）。リサイズされた画像データは、通信機器に転送され、通信機器はそれを液晶表示部２９に表示することができる。
【００３６】
上述したように、遠隔地から、携帯電話機を介してディジタルスティルカメラを制御することが可能となり、通常のディジタルスティルカメラ等を、容易に簡易監視カメラへ流用することなどができ、カメラ資源を有効に活用することが可能となる。このようにしてカメラ制御インターフェイス手段を構築する。
なお、通信を使用する上で、送受信データは、必要最低限にされるべきであるが、上述したように通信機器側のＩＤデータのみによってそれを自動的に設定することが可能となる。
なお、図３において、通信機器側で、モニタ表示機能を選択することもでき、その場合について説明する。この場合、カメラ機能の制御データとして、モニタ表示開始指示が、画像処理装置に送信される。画像処理装置は、撮像機能とディジタル処理機能を動作させて、撮像処理を開始する。そして、メディアインターフェイスを通して、撮像データが、通信機器側にも送信される（請求項３に対応する）。このようにしてメディアインターフェイス手段を構築する。このようにすれば、通信機器側にない画像処理機能等について画像処理装置の該当機能を流用することができる。
【００３７】
また、図３において、通信機器が、電話機能を持っている場合、その通話データは、連続データとして、画像処理装置内のディジタル処理部に送信され、画像処理装置が音声再生機能を有していれば、その音声を再生することができる（請求項４に対応する）。このようにすれば、安価な通信機器でも、表示再生機能等を、画像処理装置側の該当機能を利用することによって、用途が広がる。
さらに、図３において、画像処理装置と通信機器との間の通信は、時分割などによって、各種データを多重化することも可能である。このようにすることにより、先に述べた通話データのような連続データとカメラ制御インターフェイスデータとメディアインターフェイスデータを、ほぼ同時に通信可能とし、各機能を達成することができる（請求項５に対応する）。このようにすれば、通信機器側の通話などの連続処理を妨げることなく、画像処理装置を制御することが可能となる。このようにすることにより、通話を中断することなく、画像データ等を相手先に送信することができ、会話しながら資料画像ファイルを確認することなどが可能となる。
【００３８】
次に、図７および図８を参照して、通信機器から、制御データを用いて、メモリカード１１等のデータ格納部に対するデータの記録および前記データ格納部からのデータの読出しの少なくとも一方を行なう本発明の第３の実施の形態について説明する（請求項６に対応する）。
図７に通信動作を示している。第１の通信機器Ｉは、第２の通信機器ＩＩと通話中であり、例えば電話回線等により、音声データを通話データとして授受している。この場合、音声データは、音声データであることを示す音声フラグと一緒に送受信されている。使用者は、この通話中に、第１の通信機器Ｉの液晶表示部２９の表示画面上のメニューにより送信機能を選択すると、ファイル名要求信号が画像処理装置側に送られる。画像処理装置は、メモリカード１１のファイル名情報を作成し、通信機器へ転送する。
通信機器側では、液晶表示部２９の表示画面上にファイル名一覧を表示することができ、使用者は、その一覧から所望のファイルを選択する。
この場合、さらに使用者は、送信ファイルのリサイズ指定も選択することができる。リサイズは、その選択画像を第２の通信機器ＩＩに送信するわけであるが、送信先の画像使用用途や、または、受信する第２の通信機器ＩＩの制限があるならば、それに適合するリサイズ設定を選択することができる（この場合も、請求項１０に対応する）。
【００３９】
選択されたファイル名とリサイズ指定値は、画像処理装置に転送され、画像処理装置は、該当ファイルをメモリカード１１から読み出して、圧縮データであれば伸張し、さらに指定されたサイズにリサイズする。第１の通信機器Ｉは、リサイズされた画像を受信すると、それを、第２の通信機器ＩＩに送信する。この場合、画像データは、図８に示されるように、複数にブロック分割されて、各ブロックは、送られるデータが画像であることを示す画像フラグとともに、通話データに合成して送られる。第２の通信機器ＩＩでは、フラグにより音声データと画像データを分離し、画像を全て受信しおわったら、終了通知を第１の通信機器Ｉに送信する。このようにしてさらなるメディアインターフェイス手段を構築する。
また、この例のように、通信機器に携帯電話を使用している場合等においては、その受信した通話データを画像処理装置に転送して、画像処理装置側のメモリカード１１にファイルとして記録させることが可能である。画像データが合成されている場合は、音声データと画像データは分離され、別々のファイルとしてメモリカード１１に記録される。
【００４０】
このようにすれば、遠隔地におけるカメラの撮影済みまたは記録済みデータを、効果的に利用することができる。なお、通信を使用する上で、送受信データは、必要最低限にされるべきであるが、上述したように通信機器側の指示によってそれを自動的に設定することが可能となる。
なお、メディアインターフェイス手段には、種々のバリエーションがあり、以下においてそれらのいくつかについて説明する。
通信機器に携帯電話を使用している場合などにおいては、携帯電話のマイク、音声アナログ処理およびＣＯＤＥＣ部でコード化されたデータを画像処理装置に転送して、画像処理装置側のメモリカードにファイルとして記録することも可能である（請求項７に対応する）。この場合、画像処理装置のメモリカード１１等の不揮発性メモリに、音声データを記録する場合に、音声入力手段として、携帯電話などの通信機器側の手段を兼用させることにより、該手段を無駄なく利用することができる。
【００４１】
また、通信機器として携帯電話機を使用している場合等においては、画像処理装置側のメモリカード１１にファイルとして記録されている音声データを、通信機器に転送して、ＣＯＤＥＣ部３４でデコードし、アナログ処理して、携帯電話のスピーカから音響出力することが可能である（請求項８に対応する）。このように、画像処理装置の不揮発性メモリに記録されている音声ファイルを再生するにあたって、音声出力手段として、携帯電話機等の通信機器側の音声出力手段を兼用させることによって、該手段を無駄なく利用することができる。
また、既に画像処理装置側のメモリカード１１に、画像ファイルが記録されているものとする。この場合、携帯電話のマイク、音声アナログ処理およびＣＯＤＥＣ部３４で符号化された音声データを画像処理装置に転送して、その画像ファイルに関連した音声ファイルとして、画像処理装置側のメモリカード１１に記録することが可能である（請求項９に対応する）。例えば、画像ファイルと音声ファイルの関連付けを、ファイル名の規定によって行うことができる。すなわち、画像ファイル名をＪＰＥＧ０００３．ＪＰＧとする。それに関連付けされる音声ファイル名を、ＷＡＶＥ０００３．ＷＡＶ  として、下４桁の番号（例では０００３）を同じ番号としてメモリカードに記録する。
【００４２】
このような場合、画像処理装置では、転送および消去等の際、下４桁の番号が一致するファイル全てに対して同じ処理を実施し、相互の関係を維持する。
このようにすれば、画像処理装置の不揮発性メモリに記録されている画像ファイルに、音声ファイルをコメントとして関連付け記録する場合に、音声入力手段を携帯電話などの通信機器側で兼用させることで、該手段を無駄なく利用することができる。
また、画像処理装置側のメモリカード１１に記録されている画像ファイルのファイル名には、文字数の制限もあり、通常、記録順番を示すＪＰＥＧ０００３のような、英数字である。これは、その画像を示す分かりやすい情報とは言えない。画像ファイル内には、文字情報を書き込めるコメントタグも存在し、ここに画像に関する情報を記述することが望ましい。通信機器の操作部２３の操作によって、使用者が、文字等の記号を選択できるものとする。特に、携帯電話である場合には、操作ボタン等の数も多く、文字入力にも便利であり、メール機能を有するものであれば、標準で文字コード入力機能も装備している。この文字コードを、画像処理装置側に転送し、メモリカード１１に記録されているファイルのコメントタグに追記するようにすればよい（請求項１１に対応する）。
【００４３】
このようにすれば、画像処理装置の不揮発性メモリに記録されている画像ファイルのファイルヘッダ内のコメントタグに追記したい場合に、文字記号入力手段を、携帯電話機等の通信機器側の操作部２３に兼用させることによって、該手段を無駄なく利用することができる。
上述においては、文字コードを、画像処理装置側のファイルに追記するものとしたが、通信機器側から、画像処理装置側での画像処理を利用することもできる、例えば、ビットマップのようなフォーマットのフォントデータを、送ることにより、画像処理装置側で、画像データに、そのフォントデータを書き込んで、通信機器へ転送するようにしてもよい（請求項１２に対応する）。このようにすれば、受信画像において、その関連コメントが、画像自体に上書きされることになり、再生画像を見るだけで、ＰＣ（パーソナルコンピュータ〜パソコン）等を用いなくても、簡単に識別することができる。
【００４４】
さらに、通信機器Ｉおよび通信機器ＩＩ等で、画像等のファイルを送受信するにあたり、ファイル名が単に撮影順番を示す英数字記号では、何のファイルなのかを把握することが容易ではなく、不便である。通信機器側で、ファイル名の扱いのモードを、英数字順番ファイル名モードと仮想ファイル名モードを選択できるようにする。この場合、仮想ファイル名モードでは、先に述べたように、ファイル名一覧表示などの際に、所定タグに追記された意味付けされたファイル名を表示し、その中から送信などの処理対象ファイルを選択するようにすることもできる（請求項１３に対応する）。このようにすれば、記録順によるファイル名とは別に、文字コメントによる分かりやすい仮ファイル名を付けることによって、使用者が、ファイル名から容易にその内容を把握し得るようにすることができる。
【００４５】
【発明の効果】
以上述べたように、本発明によれば、個別的に対応させることなく、比較的簡易な構成で、当該画像処理装置と外部通信機器との連係動作を可能とする画像処理装置を提供することを目的としている。
すなわち本発明の請求項１の画像処理装置によれば、当該画像処理装置全体を制御する中央制御部、外部操作入力用の操作部、被写体画像を撮影する撮像部、前記撮像部の撮影データを含む各種信号をディジタル処理するためのディジタル処理部、前記ディジタル処理部で処理された画像データを表示するための表示部、当該画像処理装置に内蔵および接離可能な接続の少なくとも一方にて付設され外部通信機器と通信するための通信機能部および前記ディジタル処理部に関連するディジタルデータを格納するデータ格納部を含むカメラ機能を具備する画像処理装置であって、前記外部通信機器からの信号に対して、前記外部通信機器と通信可能か否かを判定するための通信判定手段と、前記通信判定手段にて通信可能であると判定された場合に、前記外部通信機器との間で通信を行ない、前記外部通信機器側から前記カメラ機能を制御するためのプログラムを含むデータを、前記外部通信機器に送信するデータ通信手段とを備えることにより、画像処理を扱える通信機器であって、通信機能部と、高性能、高機能を要求され、規模の大きなデータ格納部を持つ画像処理装置を分離することで、通信機能部を小型化でき、その携帯性を保て、換言すれば、外部通信機器の携帯性を犠牲にすることなく、種々の外部通信機器に対して簡素な通信にて互換性を保って連係することが可能となる。
【００４６】
また、本発明の請求項２の画像処理装置によれば、請求項１の画像処理装置であって、前記データ通信手段が、前記外部通信機器との通信データに、前記カメラ機能を制御するためのカメラ制御インターフェイスプログラムを含み、該カメラ制御インターフェイスプログラムによって構築され、前記外部通信機器から制御データを用いて前記カメラ機能を制御するカメラ制御インターフェイス手段を実質的に含むことにより、特に、外部通信機器を介して、遠隔地からカメラ機能を制御して利用することが可能となり、カメラ資源の流用、例えば簡易監視カメラへの流用などができる。
【００４７】
本発明の請求項３の画像処理装置によれば、請求項２の画像処理装置であって、前記データ通信手段が、前記外部通信機器との通信データに、前記カメラ機能における前記ディジタル処理部とデータを送受信するためのメディアインターフェイスプログラムを含み、該メディアインターフェイスプログラムによって構築され、前記外部通信機器から、前記制御データを用いて、前記ディジタル処理部のディジタル処理データの前記外部通信機器側での受信および前記外部通信機器側からの送信データの前記ディジタル処理部での処理の少なくとも一方を行なうメディアインターフェイス手段を実質的に含むことにより、特に、外部通信機器側で、該通信機器が備えていない画像処理機能などを利用することが可能となる。
【００４８】
本発明の請求項４の画像処理装置によれば、請求項１〜請求項３のうちのいずれか１項の画像処理装置であって、前記外部通信機器として、固定有線回線および携帯無線回線の少なくとも一方の電話回線を介して、音声データおよび画像データの少なくとも一方を送受信する電話機能を有する通信機器を備え、且つ前記カメラ機能には、少なくとも、前記通信判定手段で、通信可能と判定した場合には、前記通信機器からの音声データの音声再生および画像データの再生表示の少なくとも一方を行なう電話処理手段を含むことにより、特に、外部通信機器側で当該画像処理装置の表示再生機能等を利用し、安価で且つ簡易な外部通信機器でも、広範囲の用途に使用することが可能となる。
【００４９】
本発明の請求項５の画像処理装置によれば、請求項２〜請求項４のうちのいずれか１項の画像処理装置であって、当該画像処理装置および前記外部通信機器が、前記カメラ制御インターフェイス手段または前記メディアインターフェイス手段とは独立に相互間で通話音声のような連続データを送受信する連続データ通信手段を含み、該連続データ通信手段による前記連続データの通信中にもそれと並行して前記カメラ制御インターフェイス手段または前記メディアインターフェイス手段によるデータを通信することにより、特に、外部通信機器側の通話等の連続処理を中断することなく、当該画像処理装置との連係、例えば、画像データを相手先に送信でき、会話しながら資料画像ファイルを確認することが可能となる。
【００５０】
本発明の請求項６の画像処理装置によれば、請求項２の画像処理装置であって、前記データ通信手段が、前記外部通信機器との通信データに、前記カメラ機能における前記データ格納部のデータを送受信するためのメディアインターフェイスプログラムを含み、該メディアインターフェイスプログラムによって構築され、前記外部通信機器から、前記制御データを用いて、前記データ格納部に対するデータの記録および前記データ格納部からのデータの読出しの少なくとも一方を行なうメディアインターフェイス手段を実質的に含むことにより、特に、カメラ機能による撮影され、記録されたデータを、外部通信機器を介して遠隔地で利用することが可能となる。
【００５１】
本発明の請求項７の画像処理装置によれば、請求項６の画像処理装置であって、前記メディアインターフェイス手段が、前記外部通信機器内にて、マイクロフォンにより入力され、符号化処理された音声データを、当該画像処理装置に送信して、前記カメラ機能における前記データ格納部に記録するための手段を含むことにより、特に、当該画像処理装置に対する音声入力に外部通信機器の音声入力機能を無駄なく利用することが可能となる。
本発明の請求項８の画像処理装置によれば、請求項６または請求項７の画像処理装置であって、前記メディアインターフェイス手段が、前記カメラ機能における前記データ格納部に記録されている音声データを、前記外部通信機器において受信し、該外部通信機器内にて、復号処理し、スピーカで再生するための手段を含むことにより、特に、当該画像処理装置からの音声出力に外部通信機器の音声出力機能を利用することが可能となる。
【００５２】
本発明の請求項９の画像処理装置によれば、請求項６〜請求項８のうちのいずれか１項の画像処理装置であって、前記メディアインターフェイス手段が、前記外部通信機器内にて、マイクロフォンにより入力され、符号化処理された音声データを、当該画像処理装置に送信して、該音声データを前記カメラ機能の前記データ格納部に記録される画像データにリンクさせて前記データ格納部に記録するための手段を含むことにより、特に、当該画像処理装置に記録される画像ファイルに外部通信機器の音声入力機能を利用して音声入力される音声情報をコメントとして関連付け記録することが可能となる。
【００５３】
本発明の請求項１０の画像処理装置によれば、請求項６〜請求項９のうちのいずれか１項の画像処理装置であって、前記メディアインターフェイス手段が、当該画像処理装置の前記カメラ機能内にて、前記外部通信機器から送信された制御データに基づくリサイズ方式に従って画像データをリサイズして、前記外部通信機器に送信するための手段を含むことにより、特に、外部通信機器との間の送受信データを、前記外部通信機器側からの設定により、必要最低限とすることが可能となる。
【００５４】
本発明の請求項１１の画像処理装置によれば、請求項６〜請求項１０のうちのいずれか１項の画像処理装置であって、前記メディアインターフェイス手段が、前記外部通信機器側に設けられた文字を含む記号情報を作成するための機能を用いて作成された記号情報を当該画像処理装置に送信し、前記カメラ機能における前記データ格納部の選択された記録済ファイルに前記記号情報を追記するための手段を含むことにより、特に、当該画像処理装置における記録ファイルに、外部通信機器の記号入力機能を利用して入力される文字等の記号情報を、追記することが可能となる。
【００５５】
本発明の請求項１２の画像処理装置によれば、請求項１１の画像処理装置であって、前記メディアインターフェイス手段が、前記外部通信機器側に設けられた文字を含む記号情報を作成するための機能を用いて作成された記号情報を、当該画像処理装置における前記カメラ機能においても利用し得る画像情報として当該画像処理装置に送信するための手段をさらに含むことにより、特に、外部通信機器の記号入力機能を利用して入力される文字等の記号情報を当該画像処理装置で画像の一部などとして容易に把握し得るように用いることが可能となる。
【００５６】
本発明の請求項１３の画像処理装置によれば、請求項１１の画像処理装置であって、前記メディアインターフェイス手段が、前記外部通信機器側から、前記カメラ機能の前記データ格納部に記録されたデータファイルを指定するにあたり、前記外部通信機器における表示部に、前記データファイルの原ファイル名を表示して選択的に指定する方式および前記データファイルの追記された記号情報を表示して選択的に指定する方式を含む複数の選択指定方式から択一的に選択指定方式を選択し得る手段をさらに含むことにより、特に、当該画像処理装置に格納されるファイルを指定するのに、記録順に基づく一定の規則に従ったファイル名と、文字等の記号情報による分かりやすい仮ファイル名とを選択的に用いることで、使用者がファイルの内容を容易に把握して適切に指定することが可能となる。
【図面の簡単な説明】
【図１】本発明の第１の実施の形態に係る画像処理装置であるディジタルスティルカメラの要部の構成を模式的に示すブロック図である。
【図２】図１のディジタルスティルカメラと接続される外部通信機器である携帯電話機の構成を模式的に示すブロック図である。
【図３】図１のディジタルスティルカメラと図２の携帯電話機を接続して連係させる場合の通信処理の信号授受の流れを示す通信処理図である。
【図４】図３の処理の過程において携帯電話機の画面上に表示される操作メニューの一例を模式的に示す図である。
【図５】図１のディジタルスティルカメラと図２の携帯電話機を接続して本発明の第２の実施の形態に係る撮影動作を行なう場合の通信処理の信号授受の流れを示す通信処理図である。
【図６】図１のディジタルスティルカメラと図２の携帯電話機を接続して本発明の第２の実施の形態に係る再生動作を行なう場合の通信処理の信号授受の流れを示す通信処理図である。
【図７】本発明の第３の実施の形態に係る図１のディジタルスティルカメラと図２の携帯電話機を接続して通信動作を行なう場合の通信処理の信号授受の流れの前半部を示す通信処理図である。
【図８】図７の通信処理の信号授受の流れの後半部を示す通信処理図である。
【符号の説明】
１  撮影レンズ
２  メカニカルシャッタ
３  ＣＣＤ撮像素子
４  相関二重サンプリング−Ａ／Ｄ（アナログ−ディジタル）変換部（ＣＤＳ−ＡＤ部）
５  ディジタルシグナルプロセッサ部（ＤＳＰ部）
６  メカニカルドライバ部
７  ＣＣＤ駆動回路部
８，２１  中央処理部（ＣＰＵ）
９  一時メモリ
１０，２７  通信ドライバ部
１１  メモリカード
１２  表示部
１３，２３  操作部
１４，１５  通信機器
２２  フラッシュＲＯＭ（リードオンリメモリ）
２４  ワークメモリ
２５  ＲＦ（無線周波数）モジュール
２６  アンテナ
２８  表示ドライバ
２９  液晶表示部（ＬＣＤ）
３０  アナログ入力部
３１  Ａ／Ｄ（アナログ−ディジタル）変換部
３２  Ｄ／Ａ（ディジタル−アナログ）変換部
３３  アナログ出力部
３４  ＣＯＤＥＣ部
【図１】
2004247886.tif 000003
【図２】
2004247886.tif 000004
【図３】
2004247886.tif 000005
【図４】
2004247886.tif 000006
【図５】
2004247886.tif 000007
【図６】
2004247886.tif 000008
【図７】
2004247886.tif 000009
【図８】
2004247886.tif 000010